(57)【要約】【課題】車両ナビゲーション装置と携帯電話機との間でアプリケーションプログラムを同期させ、そのアプリケーションプログラムのサービスを受けれるようにする。【解決手段】車両ナビゲーション装置２と携帯電話機３とが両者の間でＢＴ通信回線を接続している状態で、車両ナビゲーション装置２及び携帯電話機３のうち何れかでアプリケーションプログラムが更新されると、車両ナビゲーション装置２のアプリケーションプログラムと携帯電話機３のアプリケーションプログラムとを同一とするように何れかのアプリケーションプログラムを更新する。【選択図】図１
2012043346.tif 000002
【特許請求の範囲】
【請求項１】
車両に搭載され、アプリケーションプログラムを記憶するアプリケーションプログラム記憶手段と、前記アプリケーションプログラム記憶手段に記憶されているアプリケーションプログラムを起動可能なアプリケーションプログラム起動手段と、を有する車載装置と、
乗員が携帯可能に構成され、アプリケーションプログラムを記憶するアプリケーションプログラム記憶手段と、前記アプリケーションプログラム記憶手段に記憶されているアプリケーションプログラムを起動可能なアプリケーションプログラム起動手段と、を有する携帯機器とを備え、前記車載装置と前記携帯機器とが両者の間で近距離無線通信回線を接続可能に構成されている車載通信システムであって、
乗員による前記車載装置及び前記携帯機器のうち一方の前記アプリケーションプログラム記憶手段に記憶されているアプリケーションプログラムの更新操作が行われたか否かを判定する更新操作判定手段と、
乗員による前記車載装置及び前記携帯機器のうち一方の前記アプリケーションプログラム記憶手段に記憶されているアプリケーションプログラムの更新操作が行われたと前記更新操作判定手段が判定した場合に、前記車載装置と前記携帯機器とが両者の間で近距離無線通信回線を接続していることを条件として、一方の前記アプリケーションプログラム記憶手段に記憶されているアプリケーションプログラムと他方の前記アプリケーションプログラム記憶手段に記憶されているアプリケーションプログラムとを同一とするように当該一方の前記アプリケーションプログラム記憶手段に記憶されているアプリケーションプログラム及び当該他方の前記アプリケーションプログラム記憶手段に記憶されているアプリケーションプログラムのうち少なくとも何れかを更新する更新手段と、を備えたことを特徴とする車載通信システム。
【請求項２】
請求項１に記載した車載通信システムにおいて、
前記車載装置の前記アプリケーションプログラム記憶手段に記憶されているアプリケーションプログラムと前記携帯機器の前記アプリケーションプログラム記憶手段に記憶されているアプリケーションプログラムとを照合して両者が同一であるか否かを判定する照合判定手段を備え、
前記更新手段は、前記車載装置の前記アプリケーションプログラム記憶手段に記憶されているアプリケーションプログラムと前記携帯機器の前記アプリケーションプログラム記憶手段に記憶されているアプリケーションプログラムとが同一でないと前記照合判定手段が判定した場合に、前記車載装置と前記携帯機器とが両者の間で近距離無線通信回線を接続していることを条件として、一方の前記アプリケーションプログラム記憶手段に記憶されているアプリケーションプログラムと他方の前記アプリケーションプログラム記憶手段に記憶されているアプリケーションプログラムとを同一とするように当該一方の前記アプリケーションプログラム記憶手段に記憶されているアプリケーションプログラム及び当該他方の前記アプリケーションプログラム記憶手段に記憶されているアプリケーションプログラムのうち少なくとも何れかを更新することを特徴とする車載通信システム。
【請求項３】
請求項１又は２に記載した車載通信システムにおいて、
前記更新手段は、アプリケーションプログラムを前記アプリケーションプログラム記憶手段に追加すること及びアプリケーションプログラムを前記アプリケーションプログラム記憶手段から削除することのうち少なくとも何れかにより、前記アプリケーションプログラム記憶手段に記憶されているアプリケーションプログラムを更新することを特徴とする車載通信システム。
【請求項４】
請求項３に記載した車載通信システムにおいて、
前記車載装置と前記携帯機器とが両者の間で近距離無線通信回線を接続している状態で前記車載装置及び前記携帯機器のうち何れから送信されたアプリケーションプログラムを近距離無線通信回線を通じて受信する近距離無線通信手段を備え、
前記更新手段は、アプリケーションプログラムを前記アプリケーションプログラム記憶手段に追加する場合には、前記車載装置と前記携帯機器とが両者の間で近距離無線通信回線を接続している状態で前記車載装置及び前記携帯機器のうち何れから送信されたアプリケーションプログラムを近距離無線通信回線を通じて前記近距離無線通信手段に受信させることで、そのアプリケーションプログラムを前記アプリケーションプログラム記憶手段に追加することを特徴とする車載通信システム。
【請求項５】
請求項３に記載した車載通信システムにおいて、
前記車載装置及び前記携帯機器のうち何れかがセンター装置との間で広域無線通信回線を接続している状態で前記センター装置から送信されたアプリケーションプログラムを広域無線通信回線を通じて受信する広域無線通信手段を備え、
前記更新手段は、アプリケーションプログラムを前記アプリケーションプログラム記憶手段に追加する場合には、前記車載装置及び前記携帯機器のうち何れかとセンター装置とが両者の間で広域無線通信回線を接続している状態で前記センター装置から送信されたアプリケーションプログラムを広域無線通信回線を通じて前記広域無線通信手段に受信させることで、そのアプリケーションプログラムを前記アプリケーションプログラム記憶手段に追加することを特徴とする車載通信システム。
【発明の詳細な説明】
【技術分野】
【０００１】
本発明は、車両に搭載されている車載装置と乗員が携帯可能な携帯機器とが近距離無線通信可能に構成されている車載通信システムに関する。
【背景技術】
【０００２】
乗員が携帯可能な携帯機器が車室内に持込まれ、その車室内に持込まれた携帯機器と車両に搭載されている車載装置とが両者の間で近距離無線通信可能な近距離無線通信圏内に存在すると、両者の間で近距離無線通信回線を自動的に接続する構成が開示されている（例えば特許文献１参照）。
【先行技術文献】
【特許文献】
【０００３】
【特許文献１】特開２００２−１９３０４６号公報
【発明の概要】
【発明が解決しようとする課題】
【０００４】
ところで、上記したような車載装置と携帯機器とが連携するシステムにおいて、車載装置と携帯機器とが両者の間で近距離無線通信回線を接続している状態では、乗員が車載装置を操作することで携帯機器の動作を制御可能に構成されている。即ち、乗員が車載装置を操作することで当該車載装置に記憶されているアプリケーションプログラムを起動させると、その車載装置で起動されたアプリケーションプログラムと同一のアプリケーションプログラムが携帯機器で起動される。例えば乗員が車載装置でメニュー画面を表示させるためのアプリケーションプログラムを起動させると、メニュー画面を表示させるためのアプリケーションプログラムが携帯機器でも起動され、乗員が車載装置のメニュー画面のうち何れかのキーを操作すると、その操作内容が車載装置から携帯機器に転送され、その操作内容に応じた処理が携帯機器にて実行される。
【０００５】
しかしながら、上記した構成では、車載装置及び携帯機器の双方に同一のアプリケーションプログラムが記憶されていることが前提となり、車載装置及び携帯機器のうち何れかのみにしかアプリケーションプログラムが記憶されていない構成では、そのアプリケーションプログラムにより提供されるサービスを受けることができないという問題がある。例えば乗員が車載装置のメニュー画面にて操作したキーに対応する処理が携帯機器にて実行されない場合がある。このような事情から、車載装置と携帯機器との間でアプリケーションプログラムを同期させる（一致させる）必要がある。
【０００６】
本発明は、上記した事情に鑑みてなされたものであり、その目的は、車載装置と携帯機器との間でアプリケーションプログラムを同期させることにより、そのアプリケーションプログラムにより提供されるサービスを適切に受けることを可能とする車載通信システムを提供することにある。
【課題を解決するための手段】
【０００７】
請求項１に記載した車載通信システムによれば、車両に搭載されている車載装置及び乗員が携帯可能に構成されている携帯機器の各々は、アプリケーションプログラム記憶手段に記憶されているアプリケーションプログラムをアプリケーションプログラム起動手段により起動可能に構成されている。ここで、乗員による車載装置及び携帯機器のうち一方のアプリケーションプログラム記憶手段に記憶されているアプリケーションプログラムの更新操作が行われたと更新操作判定手段が判定すると、更新手段は、車載装置と携帯機器とが両者の間で近距離無線通信回線を接続していることを条件として、一方のアプリケーションプログラム記憶手段に記憶されているアプリケーションプログラムと他方のアプリケーションプログラム記憶手段に記憶されているアプリケーションプログラムとを同一とするように当該一方のアプリケーションプログラム記憶手段に記憶されているアプリケーションプログラム及び当該他方のアプリケーションプログラム記憶手段に記憶されているアプリケーションプログラムのうち少なくとも何れかを更新する。
【０００８】
これにより、例えば乗員が車載装置及び携帯機器のうち何れかでアプリケーションプログラムの更新操作を行ったことで、車載装置及び携帯機器のうち一方に記憶されているアプリケーションプログラムが更新されると、一方に記憶されているアプリケーションプログラムと他方に記憶されているアプリケーションプログラムとを同一とすることで、車載装置と携帯機器との間でアプリケーションプログラムを同期させることができ、そのアプリケーションプログラムにより提供されるサービスを適切に受けることができる。
【０００９】
請求項２に記載した発明によれば、車載装置のアプリケーションプログラム記憶手段に記憶されているアプリケーションプログラムと携帯機器のアプリケーションプログラム記憶手段に記憶されているアプリケーションプログラムとを照合して両者が同一でないと照合判定手段が判定すると、更新手段は、車載装置と携帯機器とが両者の間で近距離無線通信回線を接続していることを条件として、一方のアプリケーションプログラム記憶手段に記憶されているアプリケーションプログラムと他方のアプリケーションプログラム記憶手段に記憶されているアプリケーションプログラムとを同一とするように当該一方のアプリケーションプログラム記憶手段に記憶されているアプリケーションプログラム及び当該他方のアプリケーションプログラム記憶手段に記憶されているアプリケーションプログラムのうち少なくとも何れかを更新する。
【００１０】
これにより、例えば乗員が車載装置及び携帯機器のうち何れかでアプリケーションプログラムの更新操作を行ったか否かに関係なく、車載装置に記憶されているアプリケーションプログラムと携帯機器に記憶されているアプリケーションプログラムが同一でないと、一方に記憶されているアプリケーションプログラムと他方に記憶されているアプリケーションプログラムとを同一とすることで、車載装置と携帯機器との間でアプリケーションプログラムを同期させることができ、そのアプリケーションプログラムにより提供されるサービスを適切に受けることができる。
【００１１】
請求項３に記載した車載通信システムによれば、更新手段は、アプリケーションプログラムをアプリケーションプログラム記憶手段に追加すること及びアプリケーションプログラムをアプリケーションプログラム記憶手段から削除することのうち少なくとも何れかにより、アプリケーションプログラム記憶手段に記憶されているアプリケーションプログラムを更新する。
【００１２】
これにより、例えば乗員が車載装置及び携帯機器のうち何れかでアプリケーションプログラムの追加操作を行ったことでアプリケーションプログラムが追加された場合に、その追加されたアプリケーションプログラムと同じアプリケーションプログラムを追加することで対応することができる。又、例えば乗員が車載装置及び携帯機器のうち何れかでアプリケーションプログラムの削除操作を行ったことでアプリケーションプログラムが削除された場合に、その削除されたアプリケーションプログラムと同じアプリケーションプログラムを削除することで対応することができる。尚、アプリケーションプログラムを削除する場合には、アプリケーションプログラムを削除した分、メモリ容量を有効に利用することができる。
【００１３】
請求項４に記載した発明によれば、更新手段は、アプリケーションプログラムをアプリケーションプログラム記憶手段に追加する場合には、車載装置と携帯機器とが両者の間で近距離無線通信回線を接続している状態で車載装置及び携帯機器のうち何れから送信されたアプリケーションプログラムを近距離無線通信回線を通じて近距離無線通信手段に受信させることで、そのアプリケーションプログラムをアプリケーションプログラム記憶手段に追加する。これにより、車載装置と携帯機器との間でアプリケーションプログラムを送受信することで、車載装置及び携帯機器のうち何れかとセンター装置との間で広域無線通信回線を接続することなく、アプリケーションプログラムを追加することができる。
【００１４】
請求項５に記載した発明によれば、更新手段は、アプリケーションプログラムをアプリケーションプログラム記憶手段に追加する場合には、車載装置及び携帯機器のうち何れかとセンター装置とが両者の間で広域無線通信回線を接続している状態でセンター装置から送信されたアプリケーションプログラムを広域無線通信回線を通じて広域無線通信手段に受信させることで、そのアプリケーションプログラムをアプリケーションプログラム記憶手段に追加する。これにより、センター装置から送信されたアプリケーションプログラムを車載装置及び携帯機器のうち何れかにより受信することで、センター装置が最新のアプリケーションプログラムを管理している場合であれば、その最新のアプリケーションプログラムを追加することができる。
【図面の簡単な説明】
【００１５】
【図１】本発明の一実施形態を示す全体構成図
【図２】車両ナビゲーション装置及び携帯電話機の構成を示す機能ブロック図
【図３】アプリケーションプログラムデータベースを示す図
【図４】処理の流れを示すシーケンス図
【図５】図４相当図
【図６】図４相当図
【図７】図４相当図
【図８】図４相当図
【図９】図４相当図
【図１０】アプリケーションプログラムの追加操作が行われた場合にアプリケーションプログラムデータベースが更新される態様を示す図
【図１１】アプリケーションプログラムの削除操作が行われた場合にアプリケーションプログラムデータベースが更新される態様を示す図
【発明を実施するための形態】
【００１６】
以下、本発明の一実施形態について、図面を参照して説明する。図１は車載通信システムの全体構成を示している。車載通信システム１は、Ｂｌｕｅｔｏｏｔｈ（登録商標）（以下、ＢＴと称する）通信機能を有するＢＴ対応の車両ナビゲーション装置２（本発明でいう車載装置）が車両に搭載されており、ＢＴ通信機能を有するＢＴ対応の携帯電話機３（本発明でいう携帯機器）が車室内に持込まれ、それら車両ナビゲーション装置２と携帯電話機３とが両者の間でＢＴ通信可能なＢＴ通信圏内に存在すると、両者の間でＢＴ通信回線を自動的に接続するように構成されている。
【００１７】
車両ナビゲーション装置２と携帯電話機３とは、両者の間でＢＴ通信回線を接続している状態ではＢＴの通信規格で規定されている複数のプロファイルを接続可能であり、例えばダイヤルアップ・ネットワーク・プロファイル（ＤＵＰ）やシリアル・ポート・プロファイル（ＳＰＰ）等を接続可能である。尚、車両ナビゲーション装置２と携帯電話機３とが両者の間で複数のプロファイルを同時接続（所謂マルチプロファイル接続）可能であっても良い。又、プロファイルとは機能毎に定義された通信プロトコルを意味している。
【００１８】
携帯電話機３は、センター側に設置されているセンター装置４との間でキャリア（通信事業者）５を通じて広域無線通信回線を接続可能であり、センター装置４との間で広域無線通信回線を接続している状態で広域無線通信可能である。センター装置４は、複数のコンテンツサービスプロバイダ６を接続しており、携帯電話機３との間で広域無線通信回線を接続している状態で、それら複数のコンテンツサービスプロバイダ６から提供されるデータ（コンテンツ）を広域無線通信によりキャリア５を通じて携帯電話機３に配信可能である。コンテンツサービスプロバイダ６から提供されるデータとしては、例えばニュース情報、交通情報、天気情報、旅行情報、地図情報、音楽情報及び娯楽情報等がある。ニュース情報や天気情報等は時間経過にしたがって変化が大きいリアルタイム型のデータであり、地図情報等は時間経過にしたがって変化が小さい蓄積型のデータである。
【００１９】
図２は車両ナビゲーション装置２及び携帯電話機３の構成を機能ブロック図により示している。車両ナビゲーション装置２は、制御部７（本発明でいうアプリケーションプログラム起動手段、更新操作判定手段、更新手段、照合判定手段）、位置検出器８、記録媒体装着部９、操作スイッチ群１０、通信装置１１、ＢＴ通信部１２（本発明でいう近距離無線通信手段）、外部メモリ１３（本発明でいうアプリケーションプログラム記憶手段）、表示装置１４、音声コントローラ１５、音声認識部１６、リモコンセンサ１７及び外部装置インタフェース部１８を備えて構成されている。
【００２０】
制御部７は、周知のマイクロコンピュータからなるＣＰＵ、ＲＡＭ、ＲＯＭ及びＩ／Ｏバス等を有し、制御プログラムを実行して装置全体の動作を制御する。位置検出器８は、Ｇセンサ８ａ、ジャイロスコープ８ｂ、距離センサ８ｃ及びＧＰＳ受信機８ｄを備えて構成され、これらの各構成要素は互いに性質の異なる検出誤差を有している。制御部７は、これら各構成要素から入力した検出信号を互いに補完して車両の現在位置を検出（特定）する。この場合、位置検出器８は、要求される検出精度で車両の現在位置を検出可能であれば、これら全ての構成要素を備える必要はなく、又、ステアリングの舵角を検出するステアリングセンサや各車輪の回転を検出する車輪センサ等が組合わされて構成されていても良い。
【００２１】
記録媒体装着部９は、ＣＤ−ＲＯＭ、ＤＶＤ−ＲＯＭ、メモリカード又はＨＤＤ等の記録媒体１９を装着する。記録媒体１９は、地図データ、道路データ、目印データ及びマップマッチング用データ等を記録している。操作スイッチ群１０は、表示装置１４の周辺に配置されているメカニカル釦や表示装置１４に形成されるタッチ釦から構成され、乗員が何れかの釦を操作すると、その操作内容を示す操作検出信号を制御部７に出力する。
【００２２】
通信装置１１は、例えばＶＩＣＳ（登録商標）装置から送信されたＶＩＣＳ情報を受信する等の広域無線通信を行う。ＢＴ通信部１２は、携帯電話機３との間でＢＴ通信回線を接続し、ＢＴ通信回線を接続している状態でＢＴ通信を行う。外部メモリ１３は、ＨＤＤ等の大容量記憶装置から構成され、各種アプリケーションプログラムをアプリケーションプログラムＤＢ（データベース）１３ａとして記憶可能に構成されている。アプリケーションプログラムＤＢ１３ａには、図３に示すように、アプリケーションプログラム名、版数、ファイルサイズ及び更新日時等を単位とするデータが記憶される。
【００２３】
表示装置１４は、例えば液晶ディスプレイ装置から構成され、メニュー画面や目的地設定画面等の各種表示画面を表示すると共に、車両の現在位置を示す現在位置マークや走行軌跡等を地図データの地図上に重畳表示する。尚、表示装置１４は、有機ＥＬやプラズマディスプレイ装置等から構成されていても良い。
【００２４】
音声コントローラ１５は、音声認識部１６の動作を制御すると共に、スピーカ２０からの例えば経路案内ガイダンスや警告ガイダンス等の音声出力を制御する。音声認識部１６は、マイク２１が入力した音声を音声認識アルゴリズムにしたがって音声認識する。リモコンセンサ１７は、操作リモコン２２から送信された操作検出信号を受信し、乗員が操作リモコン２２により行った操作内容を検出し、その検出した操作内容を示す操作検出信号を制御部７に出力する。外部装置インタフェース部１８は、車両に搭載されている各種ＥＣＵや各種センサと車載ＬＡＮ２３を通じて接続されており、各種ＥＣＵや各種センサとの間で各種データや各種信号を入出力する。
【００２５】
上記した制御部７は、車両の現在位置と地図データに含まれている道路データとを使用して車両の現在位置が存在する道路をマップマッチングして特定するマップマッチング機能、マップマッチングして特定した車両の現在位置から乗員が設定した目的地までの経路を探索する経路探索機能、探索した経路及び地図データに含まれている道路データや交差点の位置データ等に基づいて経路案内に必要な地点を算出して経路案内する経路案内機能、車両の現在位置周辺の地図や高速道路の略図や交差点付近の拡大図等を描画する描画機能等のナビゲーションを行うための周知の機能を備えている。
【００２６】
又、制御部７は、乗員によるアプリケーションプログラムＤＢ１３ａに記憶されているアプリケーションプログラムの更新操作を操作スイッチ群１０や操作リモコン２２にて受付けると、その乗員による更新操作に基づいてアプリケーションプログラムを更新する。即ち、制御部７は、例えば乗員がサーバ（図示せず）からアプリケーションプログラムをダウンロードする操作やメモリカード等の記録媒体からアプリケーションプログラムを転送する操作を行ったことで、乗員によるアプリケーションプログラムの追加操作を受付けると、その乗員により指定されたアプリケーションプログラムをアプリケーションプログラムＤＢ１３ａに追加する。又、制御部７は、例えば乗員が削除キー（図示せず）を押下する操作を行ったことで、乗員によるアプリケーションプログラムの削除操作を受付けると、その乗員により指定されたアプリケーションプログラムをアプリケーションプログラムＤＢ１３ａから削除する。
【００２７】
携帯電話機３は、制御部２４（本発明でいうアプリケーションプログラム起動手段、更新操作判定手段、更新手段、照合判定手段）、広域無線通信部２５（本発明でいう広域無線通信手段）、ＢＴ通信部２６（本発明でいう近距離無線通信手段）、操作部２７、表示装置２８、メモリ２９（本発明でいうアプリケーションプログラム記憶手段）、音声処理部３０及びバッテリ残容量検出部３１を備えて構成されている。
【００２８】
制御部２４は、周知のマイクロコンピュータからなるＣＰＵ、ＲＡＭ、ＲＯＭ及びＩ／Ｏバス等を有し、制御プログラムを実行して装置全体の動作を制御する。広域無線通信部２５は、センター装置４との間で広域無線通信回線を接続し、広域無線通信回線を接続している状態で広域無線通信を行う。ＢＴ通信部２６は、車両ナビゲーション装置２との間でＢＴ通信回線を接続し、ＢＴ通信回線を接続している状態でＢＴ通信を行う。
【００２９】
操作部２７は、電源キーや「０」〜「９」の数字キー等の各種キーを有し、乗員が何れかのキーを操作すると、その操作内容を示す操作検出信号を制御部２４に出力する。表示装置２８は、例えば液晶ディスプレイ装置から構成され、待受画面や着信通知画面等の各種表示画面を表示する。メモリ２９は、例えば電話番号と登録名との対応を示す電話帳データ等の各種データを記憶するデータ記憶領域を有すると共に、センター装置４から広域無線通信部２５により受信した各種データを記憶するデータ記憶領域を有して構成されている。又、メモリ２９は、各種アプリケーションプログラムをアプリケーションプログラムＤＢ２９ａとして記憶可能に構成されている。アプリケーションプログラムＤＢ２９ａには、上記した車両ナビゲーション装置２のアプリケーションプログラムＤＢ１３ａと同様に、アプリケーションプログラム名、版数、ファイルサイズ及び更新日時等を単位とするデータが記憶される。
【００３０】
音声処理部３０は、乗員が発した音声を送話音声として入力するマイク３２と、通話相手からの音声を受話音声として出力するスピーカ３３とを接続しており、マイク３２から入力した送話音声を送話処理すると共に、スピーカ３３から出力する受話音声を受話処理する。バッテリ残容量検出部３１は、携帯電話機３の動作電力源であるバッテリ３４の残容量を検出し、その検出したバッテリ３４の残容量を示す残容量検出信号を制御部２４に出力する。
【００３１】
上記した制御部２４は、乗員によるアプリケーションプログラムＤＢ２９ａに記憶されているアプリケーションプログラムの更新操作を操作部２７にて受付けると、その乗員による操作に基づいてアプリケーションプログラムを更新する。即ち、制御部２４は、例えば乗員がサーバ（図示せず）からアプリケーションプログラムをダウンロードする操作やメモリカード等の記録媒体からアプリケーションプログラムを転送する操作を行ったことで、乗員によるアプリケーションプログラムの追加操作を受付けると、その乗員により指定されたアプリケーションプログラムをアプリケーションプログラムＤＢ２９ａに追加する。又、制御部２４は、例えば乗員が削除キー（図示せず）を押下する操作を行ったことで、乗員によるアプリケーションプログラムの削除操作を受付けると、その乗員により指定されたアプリケーションプログラムをアプリケーションプログラムＤＢ２９ａから削除する。
【００３２】
センター装置４は、車両ナビゲーション装置２に記憶されているプリケーションプログラムＤＢ１３ａと同様のアプリケーションプログラムＤＢを車両ナビゲーション装置側アプリケーションプログラムＤＢ４ａとして記憶可能に構成されていると共に、携帯電話機３に記憶されているプリケーションプログラムＤＢ２９ａと同様のアプリケーションプログラムＤＢを携帯電話機側アプリケーションプログラムＤＢ４ｂとして記憶可能に構成されている。尚、センター装置４は、複数の車両ナビゲーション装置２及び複数の携帯電話機３を管理対象としており、車両ナビゲーション装置２を識別する識別情報と対応付けて車両ナビゲーション装置側アプリケーションプログラムＤＢ４ａを管理すると共に、携帯電話機３を識別する識別情報と対応付けて携帯電話機側アプリケーションプログラムＤＢ４ｂを管理する。
【００３３】
次に、上記した構成の作用について、図４乃至図１１を参照して説明する。尚、ここでは、携帯電話機３が車室内に持込まれ、車両ナビゲーション装置２と携帯電話機３とが両者の間でＢＴ通信回線を接続していると共に、携帯電話機３が広域無線通信圏内にあり、携帯電話機３とセンター装置４とが両者の間で広域無線通信回線を接続していることを前提として説明する。
【００３４】
このように車両ナビゲーション装置２と携帯電話機３とが両者の間でＢＴ通信回線を接続している状態では、乗員が車両ナビゲーション装置２の操作スイッチ群１０や操作リモコン２２を操作することで携帯電話機３の動作を制御可能に構成されている。例えば乗員が車両ナビゲーション装置２でメニュー画面を表示させるためのアプリケーションプログラムを起動させると、メニュー画面を表示させるためのアプリケーションプログラムが携帯電話機３でも起動され、乗員が車両ナビゲーション装置２のメニュー画面のうち何れかのキーを操作すると、その操作内容が車両ナビゲーション装置２から携帯電話機３に転送され、その操作内容に応じた処理が携帯電話機３にて実行される。
【００３５】
さて、上記した構成では、乗員は車両ナビゲーション装置２を操作することで当該車両ナビゲーション装置２に記憶されているアプリケーションプログラムを更新可能であり、携帯電話機３を操作することで当該携帯電話機３に記憶されているアプリケーションプログラムを更新可能である。又、例えばアプリケーションプログラムを管理する管理者はセンター装置４を操作することでアプリケーションプログラムを更新可能である。ここでいう更新とはアプリケーションプログラムを追加すること及びアプリケーションプログラムを削除すること等である。以下、
（１）乗員が車両ナビゲーション装置２にてアプリケーションプログラムの更新操作を行った場合、
（２）乗員が携帯電話機３にてアプリケーションプログラムの更新操作を行った場合、
（３）管理者がセンター装置４にてアプリケーションプログラムの更新操作を行った場合、
の各々について順次説明する。
【００３６】
（１）乗員が車両ナビゲーション装置２にてアプリケーションプログラムの更新操作を行った場合
車両ナビゲーション装置２において、制御部７は、乗員によるアプリケーションプログラムの更新操作を操作スイッチ群１０や操作リモコン２２にて受付けると、その受付けた更新操作に基づいて自装置のアプリケーションプログラムを更新する（ステップＡ１）。具体的には、制御部７は、図１０に示すように乗員がアプリケーションプログラムＧの追加操作を行った場合であれば、アプリケーションプログラムＧをアプリケーションプログラムＤＢ１３ａに追加する。又、制御部７は、図１１に示すように乗員がアプリケーションプログラムＣの削除操作を行った場合であれば、アプリケーションプログラムＣをアプリケーションプログラムＤＢ１３ａから削除する。制御部７は、自装置のアプリケーションプログラムを更新すると、その更新内容を特定可能なアプリケーションプログラム更新要求をＢＴ通信部１２から携帯電話機３に送信させる。
【００３７】
携帯電話機３において、制御部２４は、車両ナビゲーション装置２から送信されたアプリケーションプログラム更新要求をＢＴ通信回線を通じてＢＴ通信部２６により受信すると、その受信したアプリケーションプログラム更新要求により特定される更新内容に基づいて車両ナビゲーション装置２のアプリケーションプログラムと自機のアプリケーションプログラムとを同一とするように自機のアプリケーションプログラムを更新する（ステップＢ１）。
【００３８】
即ち、制御部２４は、乗員が車両ナビゲーション装置２にてアプリケーションプログラムＧの追加操作を行った場合であれば、アプリケーションプログラムＧの送信要求をＢＴ通信部２６から車両ナビゲーション装置２に送信させることで、車両ナビゲーション装置２からアプリケーションプログラムＧを自機に送信させ、車両ナビゲーション装置２から送信されたアプリケーションプログラムＧをＢＴ通信回線を通じてＢＴ通信部２６により受信すると、そのアプリケーションプログラムＧをアプリケーションプログラムＤＢ２９ａに記憶させることで、アプリケーションプログラムＧを追加する。又、乗員が車両ナビゲーション装置２にてアプリケーションプログラムＣの削除操作を行った場合であれば、アプリケーションプログラムＣをアプリケーションプログラムＤＢ２９ａから削除する。
【００３９】
次いで、制御部２４は、このようにして車両ナビゲーション装置２のアプリケーションプログラムと自機のアプリケーションプログラムとを同一とするように自機のアプリケーションプログラムを更新すると、その更新内容を特定可能なアプリケーションプログラム更新要求を広域無線通信部２５からセンター装置４に送信させる。
【００４０】
センター装置４は、携帯電話機３から送信されたアプリケーションプログラム更新要求を広域無線通信回線を通じて受信すると、その受信したアプリケーションプログラム更新要求により特定される更新内容に基づいて車両ナビゲーション装置側アプリケーションプログラムＤＢ４ａのアプリケーションプログラム及び携帯電話機側アプリケーションプログラムＤＢ４ｂのアプリケーションプログラムを更新する（ステップＣ１）。そして、センター装置４は、このようにしてアプリケーションプログラムを更新すると、アプリケーションプログラム更新応答を携帯電話機３に送信する。
【００４１】
携帯電話機３において、制御部２４は、センター装置４から送信されたアプリケーションプログラム更新応答を広域無線通信回線を通じて広域無線通信部２５により受信すると、その受信したアプリケーションプログラム更新応答をＢＴ通信部２６から車両ナビゲーション装置２に送信させる。
【００４２】
車両ナビゲーション装置２において、制御部７は、携帯電話機３から送信されたアプリケーションプログラム更新応答をＢＴ通信回線を通じてＢＴ通信部１２により受信すると、アプリケーションプログラムの更新を完了した旨を示す更新完了情報を乗員に対して通知する。
【００４３】
以上に説明した一連の処理により、乗員が車両ナビゲーション装置２にてアプリケーションプログラムの更新操作を行うと、車両ナビゲーション装置２のアプリケーションプログラムが更新されることに追従し、携帯電話機３のアプリケーションプログラムも更新され、車両ナビゲーション装置２のアプリケーションプログラムと携帯電話機３のアプリケーションプログラムとが同期される。更に、センター装置４の車両ナビゲーション装置側アプリケーションプログラムＤＢ４ａのアプリケーションプログラム及び携帯電話機側アプリケーションプログラムＤＢ４ｂのアプリケーションプログラムも更新されて同期される。
【００４４】
（２）乗員が携帯電話機３にてアプリケーションプログラムの更新操作を行った場合
携帯電話機３において、制御部２４は、乗員によるアプリケーションプログラムの更新操作を操作部２７にて受付けると、その受付けた更新操作に基づいて自機のアプリケーションプログラムを更新する（ステップＢ１１）。制御部２４は、自機のアプリケーションプログラムを更新すると、その更新内容を特定可能なアプリケーションプログラム更新要求をＢＴ通信部２６から車両ナビゲーション装置２に送信させる。
【００４５】
車両ナビゲーション装置２において、制御部７は、携帯電話機３から送信されたアプリケーションプログラム更新要求をＢＴ通信回線を通じてＢＴ通信部１２により受信すると、その受信したアプリケーションプログラム更新要求により特定される更新内容に基づいて携帯電話機３のアプリケーションプログラムと自装置のアプリケーションプログラムとを同一とするように自装置のアプリケーションプログラムを更新する（ステップＡ１１）。次いで、制御部７は、携帯電話機３のアプリケーションプログラムと自装置のアプリケーションプログラムとを同一とするように自装置のアプリケーションプログラムを更新すると、アプリケーションプログラム更新応答をＢＴ通信部１２から携帯電話機３に送信させる。
【００４６】
携帯電話機３において、制御部２４は、車両ナビゲーション装置２から送信されたアプリケーションプログラム更新応答をＢＴ通信回線を通じてＢＴ通信部２６により受信すると、その更新内容を特定可能なアプリケーションプログラム更新要求を広域無線通信部２５からセンター装置４に送信させる。
【００４７】
センター装置４は、携帯電話機３から送信されたアプリケーションプログラム更新要求を広域無線通信回線を通じて受信すると、その受信したアプリケーションプログラム更新要求により特定される更新内容に基づいて車両ナビゲーション装置側アプリケーションプログラムＤＢ４ａのアプリケーションプログラム及び携帯電話機側アプリケーションプログラムＤＢ４ｂのアプリケーションプログラムを更新する（ステップＣ１１）。そして、センター装置４は、このようにしてアプリケーションプログラムを更新すると、アプリケーションプログラム更新応答を携帯電話機３に送信する。
【００４８】
携帯電話機３において、制御部２４は、センター装置４から送信されたアプリケーションプログラム更新応答を広域無線通信回線を通じて広域無線通信部２５により受信すると、アプリケーションプログラムの更新を完了した旨を示す更新完了情報を乗員に対して通知する。
【００４９】
以上に説明した一連の処理により、乗員が携帯電話機３にてアプリケーションプログラムの更新操作を行うと、携帯電話機３のアプリケーションプログラムが更新されることに追従し、車両ナビゲーション装置２のアプリケーションプログラムも更新され、この場合も、携帯電話機３のアプリケーションプログラムと車両ナビゲーション装置２のアプリケーションプログラムとが同期される。更に、センター装置４の車両ナビゲーション装置側アプリケーションプログラムＤＢ４ａのアプリケーションプログラム及び携帯電話機側アプリケーションプログラムＤＢ４ｂのアプリケーションプログラムも更新されて同期される。
【００５０】
（３）管理者がセンター装置４にてアプリケーションプログラムの更新操作を行った場合
センター装置４は、管理者によるアプリケーションプログラムの更新操作を受付けると、その受付けた更新操作に基づいて車両ナビゲーション装置側アプリケーションプログラムＤＢ４ａのアプリケーションプログラム及び携帯電話機側アプリケーションプログラムＤＢ４ｂのアプリケーションプログラムのうち少なくとも何れかを更新し（ステップＣ２１）、その更新内容を特定可能なアプリケーションプログラム更新要求を携帯電話機３に送信する。
【００５１】
携帯電話機３において、制御部２４は、センター装置４から送信されたアプリケーションプログラム更新要求を広域無線通信回線を通じて広域無線通信部２５により受信すると、その受信したアプリケーションプログラム更新要求により特定される更新内容に基づいて自機のアプリケーションプログラムを更新する必要があれば、自機のアプリケーションプログラムを更新する（ステップＢ２１）。次いで、制御部２４は、アプリケーションプログラム更新要求をＢＴ通信部２６から車両ナビゲーション装置２に送信させる。
【００５２】
車両ナビゲーション装置２において、制御部７は、携帯電話機３から送信されたアプリケーションプログラム更新要求をＢＴ通信回線を通じてＢＴ通信部１２により受信すると、その受信したアプリケーションプログラム更新要求により特定される更新内容に基づいて自装置のアプリケーションプログラムを更新する必要があれば、自装置のアプリケーションプログラムを更新する（ステップＡ２１）。次いで、制御部７は、アプリケーションプログラム更新応答をＢＴ通信部１２から携帯電話機３に送信させる。
【００５３】
携帯電話機３において、制御部２４は、車両ナビゲーション装置２から送信されたアプリケーションプログラム更新応答をＢＴ通信回線を通じてＢＴ通信部２６により受信すると、広域無線通信部２５からアプリケーションプログラム更新応答をセンター装置４に送信させる。
【００５４】
センター装置４は、携帯電話機３から送信されたアプリケーションプログラム更新応答を広域無線通信回線を通じて受信すると、アプリケーションプログラムの更新を完了した旨を示す更新完了情報を管理者に対して通知する。
【００５５】
以上に説明した一連の処理により、管理者がセンター装置４にてアプリケーションプログラムの更新操作を行うと、車両ナビゲーション装置側アプリケーションプログラムＤＢ４ａのアプリケーションプログラム及び携帯電話機側アプリケーションプログラムＤＢ４ｂのアプリケーションプログラムのうち少なくとも何れかが更新されることに追従し、携帯電話機３のアプリケーションプログラム及び車両ナビゲーション装置２のアプリケーションプログラムのうち少なくとも何れかが更新される。
【００５６】
又、上記した構成では、車両ナビゲーション装置２、携帯電話機３及びセンター装置４のうち何れかを契機とし、車両ナビゲーション装置２に記憶されているアプリケーションプログラムと携帯電話機３に記憶されているアプリケーションプログラムとを定期的に照合する。以下、
（４）車両ナビゲーション装置２を契機として照合する場合、
（５）携帯電話機３を契機として照合する場合、
（６）センター装置４を契機として照合する場合、
の各々について順次説明する。
【００５７】
（４）車両ナビゲーション装置２を契機として照合する場合
車両ナビゲーション装置２において、制御部７は、自装置のアプリケーションプログラムと携帯電話機３のアプリケーションプログラムとを定期的に照合する照合タイミングになったと判定すると（ステップＡ３１にて「ＹＥＳ」）、アプリケーションプログラム情報取得要求をＢＴ通信部１２から携帯電話機３に送信させる。
【００５８】
携帯電話機３において、制御部２４は、車両ナビゲーション装置２から送信されたアプリケーションプログラム情報取得要求をＢＴ通信回線を通じてＢＴ通信部２６により受信すると、自機のアプリケーションプログラムの情報（アプリケーションプログラム名、版数、ファイルサイズ及び更新日時等）を読出し（ステップＢ３１）、その読出したアプリケーションプログラムの情報を特定可能なアプリケーションプログラム情報取得応答をＢＴ通信部２６から車両ナビゲーション装置２に送信させる。
【００５９】
車両ナビゲーション装置２において、制御部７は、携帯電話機３から送信されたアプリケーションプログラム情報取得応答をＢＴ通信回線を通じてＢＴ通信部１２により受信すると、自装置のアプリケーションプログラムの情報を読出し（ステップＡ３２）、携帯電話機３から取得したアプリケーションプログラムの情報と自装置のアプリケーションプログラムの情報とを照合する（ステップＡ３３）。ここで、制御部７は、両者が同一でないと判定すると、その相違を判定することで両者を同一とするための更新内容を特定し（ステップＡ３４）、その更新内容を特定可能なアプリケーションプログラム更新要求をＢＴ通信部１２から携帯電話機３に送信させる。
【００６０】
携帯電話機３において、制御部２４は、車両ナビゲーション装置２から送信されたアプリケーションプログラム更新要求をＢＴ通信回線を通じてＢＴ通信部２６により受信すると、その受信したアプリケーションプログラム更新要求により特定される更新内容に基づいて車両ナビゲーション装置２のアプリケーションプログラムと自機のアプリケーションプログラムとを同一とするように自機のアプリケーションプログラムを更新する（ステップＢ３２）。
【００６１】
次いで、制御部２４は、このようにして車両ナビゲーション装置２のアプリケーションプログラムと自機のアプリケーションプログラムとを同一とするように自機のアプリケーションプログラムを更新すると、その更新内容を特定可能なアプリケーションプログラム更新要求を広域無線通信部２５からセンター装置４に送信させる。
【００６２】
センター装置４は、携帯電話機３から送信されたアプリケーションプログラム更新要求を広域無線通信回線を通じて受信すると、その受信したアプリケーションプログラム更新要求により特定される更新内容に基づいて車両ナビゲーション装置側アプリケーションプログラムＤＢ４ａのアプリケーションプログラム及び携帯電話機側アプリケーションプログラムＤＢ４ｂのアプリケーションプログラムのうち少なくとも何れかを更新する（ステップＣ３１）。そして、センター装置４は、このようにしてアプリケーションプログラムを更新すると、アプリケーションプログラム更新応答を携帯電話機３に送信する。
【００６３】
携帯電話機３において、制御部２４は、センター装置４から送信されたアプリケーションプログラム更新応答を広域無線通信回線を通じて広域無線通信部２５により受信すると、その受信したアプリケーションプログラム更新応答をＢＴ通信部２６から車両ナビゲーション装置２に送信させる。
【００６４】
以上に説明した一連の処理により、車両ナビゲーション装置２が自装置のアプリケーションプログラムと携帯電話機３のアプリケーションプログラムとが同一でないと判定すると、携帯電話機３のアプリケーションプログラムが更新され、車両ナビゲーション装置２のアプリケーションプログラムと携帯電話機３のアプリケーションプログラムとが同期される。更に、センター装置４の車両ナビゲーション装置側アプリケーションプログラムＤＢ４ａのアプリケーションプログラム及び携帯電話機側アプリケーションプログラムＤＢ４ｂのアプリケーションプログラムのうち少なくとも何れかが更新されて同期される。尚、以上は、車両ナビゲーション装置２のアプリケーションプログラムが更新されることなく、車両ナビゲーション装置２のアプリケーションプログラムに追従するように携帯電話機３のアプリケーションプログラムが更新される場合を説明したが、これとは反対に、携帯電話機３のアプリケーションプログラムが更新されることなく、携帯電話機３のアプリケーションプログラムに追従するように車両ナビゲーション装置２のアプリケーションプログラムが更新されても良い。
【００６５】
（５）携帯電話機３を契機として照合する場合
携帯電話機３において、制御部２４は、自機のアプリケーションプログラムと車両ナビゲーション装置２のアプリケーションプログラムとを定期的に照合する照合タイミングになったと判定すると（ステップＢ４１にて「ＹＥＳ」）、アプリケーションプログラム情報取得要求をＢＴ通信部２６から車両ナビゲーション装置２に送信させる。
【００６６】
車両ナビゲーション装置２において、制御部７は、携帯電話機３から送信されたアプリケーションプログラム情報取得要求をＢＴ通信回線を通じてＢＴ通信部１２により受信すると、自装置のアプリケーションプログラムの情報を読出し（ステップＡ４１）、その読出したアプリケーションプログラムの情報を特定可能なアプリケーションプログラム情報取得応答をＢＴ通信部１２から携帯電話機３に送信させる。
【００６７】
携帯電話機３において、制御部２４は、車両ナビゲーション装置２から送信されたアプリケーションプログラム情報取得応答をＢＴ通信回線を通じてＢＴ通信部２６により受信すると、自機のアプリケーションプログラムの情報を読出し（ステップＢ４２）、車両ナビゲーション装置２から取得したアプリケーションプログラムの情報と自機のアプリケーションプログラムの情報とを照合する（ステップＢ４３）。ここで、制御部２４は、両者が同一でないと判定すると、その相違を判定することで両者を同一とするための更新内容を特定し（ステップＢ４４）、その更新内容を特定可能なアプリケーションプログラム更新要求をＢＴ通信部２６から車両ナビゲーション装置２に送信させる。
【００６８】
車両ナビゲーション装置２において、制御部７は、携帯電話機３から送信されたアプリケーションプログラム更新要求をＢＴ通信回線を通じてＢＴ通信部１２により受信すると、その受信したアプリケーションプログラム更新要求により特定される更新内容に基づいて携帯電話機３のアプリケーションプログラムと自装置のアプリケーションプログラムとを同一とするように自装置のアプリケーションプログラムを更新する（ステップＡ４２）。
【００６９】
次いで、制御部７は、このようにして携帯電話機３のアプリケーションプログラムと自装置のアプリケーションプログラムとを同一とするように自装置のアプリケーションプログラムを更新すると、アプリケーションプログラム更新応答をＢＴ通信部１２から携帯電話機３に送信させる。
【００７０】
携帯電話機３において、制御部２４は、車両ナビゲーション装置２から送信されたアプリケーションプログラム更新応答をＢＴ通信回線を通じてＢＴ通信部２６により受信すると、その更新内容を特定可能なアプリケーションプログラム更新要求を広域無線通信部２５からセンター装置４に送信させる。
【００７１】
センター装置４は、携帯電話機３から送信されたアプリケーションプログラム更新要求を広域無線通信回線を通じて受信すると、その受信したアプリケーションプログラム更新要求により特定される更新内容に基づいて車両ナビゲーション装置側アプリケーションプログラムＤＢ４ａのアプリケーションプログラム及び携帯電話機側アプリケーションプログラムＤＢ４ｂのアプリケーションプログラムのうち少なくとも何れかを更新する（ステップＣ４１）。そして、センター装置４は、このようにしてアプリケーションプログラムを更新すると、アプリケーションプログラム更新応答を携帯電話機３に送信する。
【００７２】
以上に説明した一連の処理により、携帯電話機３が自機のアプリケーションプログラムと車両ナビゲーション装置２のアプリケーションプログラムとが同一でないと判定すると、車両ナビゲーション装置２のアプリケーションプログラムが更新され、携帯電話機３のアプリケーションプログラムと車両ナビゲーション装置２のアプリケーションプログラムとが同期される。更に、センター装置４の車両ナビゲーション装置側アプリケーションプログラムＤＢ４ａのアプリケーションプログラム及び携帯電話機側アプリケーションプログラムＤＢ４ｂのアプリケーションプログラムのうち少なくとも何れかも更新されて同期される。尚、以上は、携帯電話機３のアプリケーションプログラムが更新されることなく、携帯電話機３のアプリケーションプログラムに追従するように車両ナビゲーション装置２のアプリケーションプログラムが更新される場合を説明したが、これとは反対に、車両ナビゲーション装置２のアプリケーションプログラムが更新されることなく、車両ナビゲーション装置２のアプリケーションプログラムに追従するように携帯電話機３のアプリケーションプログラムが更新されても良い。
【００７３】
（６）センター装置４を契機として照合する場合
センター装置４は、車両ナビゲーション装置２に記憶されているアプリケーションプログラムと携帯電話機３に記憶されているアプリケーションプログラムとを定期的に照合する照合タイミングになったと判定すると（ステップＣ５１にて「ＹＥＳ」）、アプリケーションプログラム情報取得要求を携帯電話機３に送信する。
【００７４】
携帯電話機３において、制御部２４は、センター装置４から送信されたアプリケーションプログラム情報取得要求を広域無線通信回線を通じて広域無線通信部２５により受信すると、自機のアプリケーションプログラムの情報を読出し（ステップＢ５１）、その読出したアプリケーションプログラムの情報を特定可能なアプリケーションプログラム情報取得応答を広域無線通信部２５からセンター装置４に送信させると共に、アプリケーションプログラム情報取得要求をＢＴ通信部２６から車両ナビゲーション装置２に送信させる。
【００７５】
車両ナビゲーション装置２において、制御部７は、携帯電話機３から送信されたアプリケーションプログラム情報取得要求をＢＴ通信回線を通じてＢＴ通信部１２により受信すると、自装置のアプリケーションプログラムの情報を読出し（ステップＡ５１）、その読出したアプリケーションプログラムの情報を特定可能なアプリケーションプログラム情報取得応答をＢＴ通信部１２から携帯電話機３に送信させる。
【００７６】
携帯電話機３において、制御部２４は、車両ナビゲーション装置２から送信されたアプリケーションプログラム情報取得応答をＢＴ通信回線を通じてＢＴ通信部２６により受信すると、その受信したアプリケーションプログラム情報取得応答を広域無線通信部２５からセンター装置４に送信させる。
【００７７】
センター装置４は、携帯電話機３から送信されたアプリケーションプログラム情報取得応答を広域無線通信回線を通じて受信し、車両ナビゲーション装置２から送信されたアプリケーションプログラム情報取得応答を広域無線通信回線を通じて受信すると、携帯電話機３から取得したアプリケーションプログラムの情報と車両ナビゲーション装置２から取得したアプリケーションプログラムの情報とを照合する（ステップＣ５２）。ここで、センター装置４は、両者が同一でないと判定すると、その相違を判定することで更新内容を特定し（ステップＣ５３）、その特定した更新内容に基づいて車両ナビゲーション装置２のアプリケーションプログラムと携帯電話機３のアプリケーションプログラムとを同一とするように車両ナビゲーション装置側アプリケーションプログラムＤＢ４ａのアプリケーションプログラム及び携帯電話機側アプリケーションプログラムＤＢ４ｂのアプリケーションプログラムのうち少なくとも何れかを更新し（ステップＣ５４）、その更新内容を特定可能なアプリケーションプログラム更新要求を携帯電話機３に送信させる。
【００７８】
携帯電話機３において、制御部２４は、センター装置４から送信されたアプリケーションプログラム更新要求を広域無線通信回線を通じて広域無線通信部２５により受信すると、その受信したアプリケーションプログラム更新要求により特定される更新内容に基づいて自機のアプリケーションプログラムを更新する必要があれば、自機のアプリケーションプログラムを更新する（ステップＢ５２）。次いで、制御部２４は、このようにしてアプリケーションプログラムを更新すると、アプリケーションプログラム更新応答を広域無縁通信部２５からセンター装置４に送信させると共に、アプリケーションプログラム更新要求をＢＴ通信部２６から車両ナビゲーション装置２に送信させる。
【００７９】
車両ナビゲーション装置２において、制御部７は、携帯電話機３から送信されたアプリケーションプログラム更新要求をＢＴ通信回線を通じてＢＴ通信部１２により受信すると、その受信したアプリケーションプログラム更新要求により特定される更新内容に基づいて自装置のアプリケーションプログラムを更新する必要があれば、自装置のアプリケーションプログラムを更新する（ステップＡ５２）。
【００８０】
以上に説明した一連の処理により、センター装置４が車両ナビゲーション装置２のアプリケーションプログラムと携帯電話機３のアプリケーションプログラムとが同一でないと判定すると、車両ナビゲーション装置２のアプリケーションプログラム及び携帯電話機３のアプリケーションプログラムのうち少なくとも何れかが更新され、携帯電話機３のアプリケーションプログラムと車両ナビゲーション装置２のアプリケーションプログラムとが同期される。
【００８１】
以上に説明したように本実施形態によれば、車両ナビゲーション装置２と携帯電話機３とが両者の間でＢＴ通信回線を接続している状態で、車両ナビゲーション装置２及び携帯電話機３のうち何れかでアプリケーションプログラムが更新されると、車両ナビゲーション装置２のアプリケーションプログラムと携帯電話機３のアプリケーションプログラムとを同一とするように何れかのアプリケーションプログラムを更新するように構成したので、車両ナビゲーション装置２と携帯電話機３との間でアプリケーションプログラムを同期させることができ、そのアプリケーションプログラムにより提供されるサービスを適切に受けることができる。
【００８２】
特に、本実施形態のように携帯電話機３が車室内に持込まれ、車両ナビゲーション装置２と携帯電話機３とが両者の間でＢＴ通信回線を自動的に接続する構成では、例えば乗員が車両ナビゲーション装置２にてアプリケーションプログラムを起動させる起動操作を行うと、乗員が携帯電話機３にて当該アプリケーションプログラムを起動させる起動操作を行わなくとも携帯電話機３で同一のアプリケーションプログラムが自動的に起動されることになり、乗員が意識していない状態でアプリケーションプログラムが自動的に起動されることになるので、このように車両ナビゲーション装置２と携帯電話機３との間でアプリケーションプログラムを同期させることによる利点は大きい。
【００８３】
本発明は、上記した実施形態にのみ限定されるものではなく、以下のように変形又は拡張することができる。
車載装置は、携帯電話機との間で近距離無線通信可能であれば、車両ナビゲーション装置に限らず、別の機能を有する車載装置であっても良い。
【００８４】
携帯機器は、車載装置との間で近距離無線通信可能であれば、携帯電話機に限らず、別の機能を有する携帯機器であっても良い。
車両ナビゲーション装置と携帯電話機とが両者の間でＢＴ通信を行うことに限らず、両者の間で他の近距離無線通信を行っても良い。
【００８５】
車両ナビゲーション装置と携帯電話機とが連携して行うアプリケーションプログラム（本実施形態で示したようなメニュー画面を表示させるためのアプリケーションプログラム等）を対象として同期させる一方、車両ナビゲーション装置と携帯電話機とが連携して行わないアプリケーションプログラム（車両ナビゲーション装置及び携帯電話機のうち何れかが単独で行うアプリケーションプログラム）を対象とせずに同期させないようにしても良い。車両ナビゲーション装置と携帯電話機とが連携して行うアプリケーションプログラムとしては、上記したメニュー画面を表示させるためのアプリケーションプログラムの他に、音楽を再生するためのアプリケーションプログラム、目的地を検索するためのアプリケーションプログラム等がある。
【００８６】
車両ナビゲーション装置と携帯電話機との間でアプリケーションプログラムを同期させた後に、更新操作が行われた一方のみで更新完了情報を乗員や管理者に対して通知することに限らず、一方で更新操作が行われたことに追従してアプリケーションプログラムを更新した他方でも更新完了情報を乗員や管理者に対して通知するようにしても良い。又、照合タイミングになったことを契機として車両ナビゲーション装置と携帯電話機との間でアプリケーションプログラムを同期させた場合にも、更新完了情報を乗員や管理者に対して通知するようにしても良い。
【００８７】
携帯電話機（車両）が広域無線通信圏外にあり、携帯電話機とセンター装置とが両者の間で広域無線通信回線を接続不可能である場合には、携帯電話機が広域無線通信圏外から広域無線通信圏内に移動した後に、センター装置との間でアプリケーションプログラムを同期させても良い。
【符号の説明】
【００８８】
図面中、１は車載通信システム、２は車両ナビゲーション装置（車載装置）、３は携帯電話機（携帯機器）、４はセンター装置、７は制御部（アプリケーションプログラム起動手段、更新操作判定手段、更新手段、照合判定手段）、１２はＢＴ通信部（近距離無線通信手段）、１３は外部メモリ（アプリケーションプログラム記憶手段）、２４は制御部（アプリケーションプログラム起動手段、更新操作判定手段、更新手段、照合判定手段）、２５は広域無線通信部（広域無線通信手段）、２６はＢＴ通信部（近距離無線通信手段）、２９はメモリ（アプリケーションプログラム記憶手段）である。
【図１】
2012043346.tif 000003
【図２】
2012043346.tif 000004
【図３】
2012043346.tif 000005
【図４】
2012043346.tif 000006
【図５】
2012043346.tif 000007
【図６】
2012043346.tif 000008
【図７】
2012043346.tif 000009
【図８】
2012043346.tif 000010
【図９】
2012043346.tif 000011
【図１０】
2012043346.tif 000012
【図１１】
2012043346.tif 000013